(57)【要約】【課題】縁巻を利用したスライド機構において信頼性の高いストッパー機能を発揮する金属箔成形体を提供する。【解決手段】分割体の一方の端縁がカーリングされて縁巻３４ａが形成されている。一方、分割体の他方の端縁がカーリングされて縁巻２９ａが形成されている。縁巻２９の縁巻径は縁巻３４ａの内部を摺動自在となるような寸法に設定されている。縁巻２９ａの係合端部にあっては、その巻込み端部から外方に折返され、縁巻３４ａの外面に沿うように伸びる第２外方舌片４０が形成されている。一方、縁巻３４ａの係合端部にあっては、その巻込み端部から更に内方に巻込まれるように伸びる第１内方舌片３８が形成されている。これによって縁巻３４ａを縁巻２９ａから分離するように移動させると、第２外方舌片４０の端面と第１内方舌片３８の端面とが当接して、それ以上の移動を阻止することになる。【選択図】　　　図６
2004116928.tif 000002
【特許請求の範囲】
【請求項１】
端縁をカーリングして形成される縁巻部を横切る線で第１の分割体と第２の分割体とにされており、前記第１の分割体の縁巻部に前記第２の分割体の縁巻部を挿入することによって前記第１の分割体と前記第２の分割体とが相互に摺動自在に係合する金属箔成形体であって、
前記第２の分割体の前記挿入された縁巻部の一部において接続され、その巻込み端部から外方に折返され、係合している前記第１の分割体の縁巻部の外面に沿うように伸びる外方舌片と、
前記第１の分割体の縁巻部であって、前記第２の分割体に係合している側の端部と前記外方舌片との間の縁巻部の一部に接続され、その巻込み端部から更に内方に巻込まれるように伸びる内方舌片とを備えた、金属箔成形体。
【請求項２】
前記外方舌片は、前記第２の分割体の縁巻部の端部に接続され、
前記内方舌片は、前記第１の分割体の縁巻部の端部に接続される、金属箔成形体。
【請求項３】
前記第２の分割体は、調理用油除けパネルの正面パネルに折曲げ自在に接続される固定パネルを構成し、前記第１の分割体は、前記固定パネルに対してスライド可能な可動パネルを構成する、請求項２記載の金属箔成形体。
【請求項４】
金属箔成形体の製造方法であって、
金属箔からなり、ほぼ矩形形状を有し、且つその一辺のコーナー端部から外方に突出する内方舌片を有する第１平板を準備する工程と、
金属箔からなり、前記第１平板の前記一辺に直交する幅とほぼ同一幅のほぼ矩形形状を有し、且つ前記一辺に対応する一辺のコーナー端部から外方に突出する外方舌片を有する第２平板を形成する工程と、
前記内方舌片と前記外方舌片とが重ならないように前記第１平板の一辺と前記第２平板の一辺とを揃えて、前記第１平板の前記内方舌片側の一部と前記第２平板の前記外方舌片側の一部とを重ね合わせる工程と、
前記外方舌片を前記第１平板側に折返す工程と、
前記第１平板の一辺及び前記第２平板の一辺の各々から前記幅方向の所定範囲を、前記第１平板側から前記第２平板側に巻き込むようにして縁巻を形成する工程とを備えた、金属箔成形体の製造方法。
【発明の詳細な説明】
【０００１】
【発明の属する技術分野】
この発明は金属箔成形体及び金属箔成形体の製造方法に関し、特に調理用油除けパネルのようなアルミニウム箔を成形してなる金属箔成形体及び金属箔成形体の製造方法に関するものである。
【０００２】
【従来の技術】
図９は従来の調理用油除けパネルの使用状態の一例を示した斜視図である（例えば、特許文献１参照）。
【０００３】
図を参照して、調理用油除けパネル１５は、システムキッチンレンジ６０の周辺を囲うように設置されている。システムキッチンレンジ６０はビルトインコンロとしてレンジトッププレート６１に四角枠形状のガードプレート６２が埋め込まれ、その内部に複数のバーナー部６３が平面的に配列されている。バーナー部６３の後方には、レンジトッププレート６１におけるグリル、オーブン等からの熱気を排出するためのグリル排気口６５が配置されている。調理用油除けパネル１５はほぼ矩形形状の正面パネル１８と、正面パネル１８の両側の各々に折曲げ自在に接続される右側面パネル１９及び左側面パネル２０とから構成される。これらはいずれもアルミニウム箔をプレス成形加工することによって形成されるものである。
【０００４】
正面パネル１８はその上方部が緩やかな山形形状を有しており、その両端部は折曲げ自在の固定パネル２７ａ及び固定パネル２７ｂが接続されているが、これらは右側面パネル１９及び左側面パネル２０の一部を構成するものである。
【０００５】
右側面パネル１９は上述のように正面パネル１８に折曲げ自在に接続された固定パネル２７ａと、固定パネル２７ａの内方面にその外方面が対向した状態で固定パネル２７ａに対して正面パネル１８に向かってスライド可能な可動パネル３１ａとから構成される。
【０００６】
固定パネル２７ａと可動パネル３１ａとは、固定パネル２７ａの縁巻と可動パネル３１ａの縁巻きの各々とが係合することによって、これらはスライド可能となっている。一方、左側面パネル２０も同様に固定パネル２７ｂ及び可動パネル３１ｂによって構成され、これらは固定パネル２７ｂの縁巻と、可動パネル３１ｂの縁巻の各々が係合することによって、互いにスライド可能となっている。
【０００７】
図１０は図９の“Ｙ”部分の拡大斜視図であり、図１１は図１０のＸＩ−ＸＩラインの断面図である。これらの図を参照して、まず固定パネル２７ｂの縁巻２９ｂと可動パネル３１ｂの縁巻３４ｂの係合状態について説明する。
【０００８】
図１１に示されているように、縁巻２９ｂの先端部は外方方向に折返されて、外層縁巻５０となり、２層構造の縁巻となっている。一方、縁巻３４ｂの先端部分は内方側に折返されて内層縁巻４８となり、２層構造の縁巻となっている。すなわち、縁巻２９ｂの外層縁巻５０は縁巻３４ｂの内面に摺動自在に当接した状態となっている。そして、縁巻３４ｂの内層縁巻４８は縁巻２９ｂの外面に摺動自在に当接した状態となっている。これによって縁巻２９ｂと縁巻３４ｂとはスムーズに摺動し、可動パネル３１ｂは固定パネル２７ｂに対してスライド自在となる。
【０００９】
図１０においては図９の“Ｙ”部分のみを示しているが、固定パネル２７ｂの下部の縁巻と可動パネル３１ｂの下部の縁巻との係合も同様の構造である。従って、固定パネル２７ｂと可動パネル３１ｂとはそれらの当接状態を保持しながら、スムーズで且つ安定した可動パネル３１ｂの固定パネル２７ｂに対するスライド動作が可能となる。
【００１０】
図１２は図１０で示した平板部と縁巻との構造よりなる側面パネルの製造方法を示した図である。
【００１１】
図１２の（１）に示されているように、アルミニウム箔よりなる矩形形状の第１平板５３と、同様にアルミニウム箔よりなる矩形形状の第２平板５４とを各々準備する。
【００１２】
次に、図１２の（２）に示されているように、第１平板５３の端部５５から所定範囲の部分を第２平板５４側に折返して折返し片５７を形成する。同様に第２平板５４の端部５６から所定範囲の部分を第１平板５３側に折返して折返し片５８を形成する。この状態で図１２の（３）に示されているように、第１平板５３の折返し片５７が第２平板５４の平面部に対して、第２平板５４の折返し片５８を第１平板５３の平面部に対して互いに接触する状態に重ね合わせる。
【００１３】
この重ね合わされた状態で図１２の（３）において二点鎖線で示された部分から外方の部分を、矢印で示す方向に第１平板５３及び第２平板５４を一体的に巻込むように巻き加工して縁巻を形成する。このようにして図１０で示したような固定パネル２７ｂ及び可動パネル３１ｂの係合構造を一度のプレス成形によって得ることが可能となる。その結果、図１１で示すような縁巻き係合構造を一体的に形成することが可能となる。これによって、縁巻２９ｂと縁巻３４ｂとの当接状態は良好となり、スムーズな係合状態を確保することができる。
【００１４】
又、このように平板部及び縁巻を形成するため、縁巻２９ｂの外層縁巻５０と縁巻３４ｂの内層縁巻４８とがストッパーの役目を果たし、可動パネル３１ｂを引出した時の固定パネル２７ｂからの不用意な脱落を防止する。このストッパー機能について次に説明する。
【００１５】
まず、図１１において縁巻３４ｂを縁巻２９ｂから引抜こうとした場合を想定する。この場合、縁巻３４ｂの引抜き動作に応じて内層縁巻４８が縁巻２９ｂの外層縁巻５０の方向に移動することになる。そして、最終的には図１３に示すように、内層縁巻４８の端部が外層縁巻５０の端部に当接し、それ以上の縁巻３４ｂの移動を阻止する。このようにして、内層縁巻４８及び外層縁巻５０が形成されていない構造における縁巻係合のような不用意な脱落を防止することが可能となる。
【００１６】
【特許文献１】
特開２００１−３１１５２１号公報
【特許文献２】
特許第２８３７６３４号公報
【発明が解決しようとする課題】
上記のような従来の金属箔成形体にあっては、縁巻部の折返し構造によってストッパー機能が発揮されている。しかし、上述のように折返し部分の縁巻はその板厚が薄いため、状況によっては縁巻同志の当接が確実とならない場合がある。このため、金属箔成形体の縁巻を利用したスライド機構におけるストッパー効果が充分とならない虞がある。
【００１７】
この発明は上記のような課題を解決するためになされたもので、縁巻を利用したスライド機構において信頼性の高いストッパー機能を発揮する金属箔成形体及び金属箔成形体の製造方法を提供することを目的とする。
【００１８】
【課題を解決するための手段】
上記の目的を達成するために、請求項１記載の発明は、端縁をカーリングして形成される縁巻部を横切る線で第１の分割体と第２の分割体とにされており、第１の分割体の縁巻部に第２の分割体の縁巻部を挿入することによって第１の分割体と第２の分割体とが相互に摺動自在に係合する金属箔成形体であって、第２の分割体の挿入された縁巻部の一部において接続され、その巻込み端部から外方に折返され、係合している第１の分割体の縁巻部の外面に沿うように伸びる外方舌片と、第１の分割体の縁巻部であって第２の分割体に係合している側の端部と外方舌片との間の縁巻部の一部に接続され、その縁巻端部から更に内方に巻込まれるように伸びる内方舌片とを備えたものである。
【００１９】
このように構成すると、第１の分割体と第２の分割体とを分離するように移動させると、外方舌片の端部と内方舌片の端部とが当接する。
【００２０】
請求項２記載の発明は、請求項１記載の発明の構成において、外方舌片は、第２の分割体の縁巻部の端部に接続され、内方舌片は、第１の分割体の縁巻部の端部に接続されるものである。
【００２１】
このように構成すると、第１の分割体と第２の分割体とを分離するように最大に移動させた状態で外方舌片と内方舌片とが当接する。
【００２２】
請求項３記載の発明は、請求項２記載の発明の構成において、第２の分割体は、調理用油除けパネルの正面パネルに折曲げ自在に接続される固定パネルを構成し、前記第１の分割体は、固定パネルに対してスライド可能な可動パネルを構成するものである。
【００２３】
このように構成すると、固定パネルと可動パネルとからなる側面パネルの伸縮時の係合状態が安定する。
【００２４】
請求項４記載の発明は、金属箔成形体の製造方法であって、金属箔からなり、ほぼ矩形形状を有し、且つその一辺のコーナー端部から外方に突出する内方舌片を有する第１平板を準備する工程と、金属箔からなり、第１平板の一辺に直交する幅とほぼ同一幅のほぼ矩形形状を有し、且つ該一辺に対応する一辺のコーナー端部から外方に突出する外方舌片を有する第２平板を準備する工程と、内方舌片と外方舌片とが重ならないように第１平板の一辺と第２平板の一辺とを揃えて、第１平板の内方舌片側の一部と第２平板の外方舌片側の一部とを重ね合わせる工程と、外方舌片を第１平板側に折返す工程と、第１平板の一辺及び第２平板の一辺の各々から幅方向の所定範囲を第１平板側から第２平板側に巻き込むようにして縁巻きを形成する工程とを備えたものである。
【００２５】
このように構成すると、外方舌片は内方側の縁巻から外方に伸び、内方舌片は外方側の縁巻から内方に伸びる金属箔成形体となる。
【００２６】
【発明の効果】
以上説明したように、請求項１記載の発明は、第１の分割体と第２の分割体とを分離させようとすると外方舌片の端部と内方舌片の端部とが当接するため、これらは係合解除を確実に阻止するストッパーとして機能する。
【００２７】
請求項２記載の発明は、請求項１記載の発明の効果に加えて、第１の分割体と第２の分割体とを最大に移動させた状態で外方舌片と内方舌片とが当接するため、第１の分割体と第２の分割体との係合範囲が最大となり、使い勝手が向上する。
【００２８】
請求項３記載の発明は、請求項２記載の発明の効果に加えて、固定パネルと可動パネルとからなる側面パネルの係合状態が安定するため、調理用油除けパネルの品質が向上する。
【００２９】
請求項４記載の発明は、外方舌片は内方側の縁巻から外方に伸び、内方舌片は外方側の縁巻から内方に伸びる金属箔成形体となる。このため、縁巻の係合状態をスライドさせて解除する方向に移動させると、これらの舌片はこの係合解除を阻止するストッパーとなる。
【００３０】
【発明の実施の形態】
図１はこの発明の第１の実施の形態による金属箔成形体となる調理用油除けパネルの外観形状を示した斜視図である。
【００３１】
図を参照して、この実施の形態による調理用油除けパネル１５は、図９において従来例として示した調理用油除けパネルと基本的な構成は同一である。すなわち、調理用油除けパネル１５は正面パネル１８と、正面パネル１８の両側の各々に折曲げ自在に接続される右側面パネル１９及び左側面パネル２０とから構成される。これらはいずれも金属箔の一種であるアルミニウム箔をプレス成形加工することによって形成されるものである。
【００３２】
正面パネル１８はその上方部が緩やかな山型形状を有している平板部２３よりなり、平板部２３の上端部及び下端部は各々曲げ加工されて縁巻２４及び縁巻２５が形成されている。尚、平板部２３の両端部は折曲げ自在の固定パネル２７ａ及び固定パネル２７ｂが接続されているが、これらは右側面パネル１９及び左側面パネル２０の一部を構成するものである。
【００３３】
右側面パネル１９は上述のように正面パネル１８に折曲げ自在に接続された固定パネル２７ａと、固定パネル２７ａの内方面にその外方面が対向した状態で固定パネル２７ａに対して正面パネル１８に向かってスライド可能な可動パネル３１ａとから構成される。
【００３４】
固定パネル２７ａは矩形平板状の平板部２８ａと平板部２８ａの両側縁に形成された縁巻２９ａ及び縁巻３０ａとから構成される。
【００３５】
可動パネル３１ａは、１つの角が丸みを帯びた矩形平板形状の平板部３２ａと平板部３２ａの両側縁に形成された縁巻３４ａ及び縁巻３５ａとから構成される。
【００３６】
固定パネル２７ａと可動パネル３１ａとは、固定パネル２７ａの縁巻２９ａ及び縁巻３０ａと、可動パネル３１ａの縁巻３４ａ及び縁巻３５ａの各々とが係合することによって、これらはスライド可能となっている。このスライド構造の詳細については後述する。ここで、右側面パネル１９を一つの金属箔成形体とすると、この金属箔成形体は端縁をカーリングして形成される縁巻部を横切る線で第１の分割体となる可動パネル３１ａと第２の分割体となる固定パネル２７ａとによって構成されることになる。
【００３７】
一方、左側面パネル２０も同様に固定パネル２７ｂ及び可動パネル３１ｂによって構成され、これらは固定パネル２７ｂの縁巻と可動パネル３１ｂの縁巻の各々が係合することによって互いにスライド可能になっている。
【００３８】
図２は図１の“Ｘ”部分の拡大斜視図であり、図３は図２のＩＩＩ−ＩＩＩラインの端面図であり、図４は図２のＩＶ−ＩＶラインの端面図である。
【００３９】
これらの図を参照して、まず第２の分割体である固定パネル２７ａの縁巻２９ａと第１の分割体である可動パネル３１ａの縁巻３４ａとの係合状態について説明する。
【００４０】
固定パネル２７ａを構成する平板部２８ａの端縁がカーリング加工され縁巻２９ａが形成されている。一方、可動パネル３１ａを構成する平板部３２ａの端縁がカーリング加工されて縁巻３４ａが形成されている。そして縁巻２９ａは縁巻３４ａ内に摺動自在となるようにその径が設定されている。縁巻２９ａの係合側の端部においては、その位置の縁巻３４ａの一部に接続され、その巻込み端部から外方に折返されて縁巻３４ａの外面に沿うように伸びる第１外方舌片３７が形成されている。一方、縁巻２９ａの端部においても、縁巻２９ａの一部に接続され、その巻込み端部から外方に折返され、係合している縁巻３４ａの第１外方舌片３７に沿うように伸びる第２外方舌片４０が形成されている。
【００４１】
一方、縁巻３４ａの係合側の端部にあっては、縁巻３４ａの一部に接続され、その巻込み端部から更に内方に巻込まれるように伸びる第１内方舌片３８が形成されている。又、この位置にあって縁巻２９ａにおいては縁巻２９ａの一部に接続され、その巻込み端部から更に内方に縁巻３４ａの第１内方舌片３８に沿って巻込まれるように伸びる第２内方舌片４１が形成されている。
【００４２】
すなわち、内側に位置する縁巻２９ａの係合端部からは、巻込み端部から折返されて第２外方舌片４０が外方に伸び、外方に位置する縁巻３４ａにあっては、その係合端部においてその巻込み端部から更に内方に伸びる第１内方舌片３８が形成されることになる。
【００４３】
図５は図２で示した状態から係合状態を解除する方向に可動パネルを固定パネルから移動させた状態を示した中間的な斜視図である。
【００４４】
図を参照して、可動パネル３１ａを構成する平板部３２ａを縁巻３４ａと共に矢印の方向に移動させると、縁巻３４ａに接続されて形成されている第１外方舌片３７及び第１内方舌片３８は一体となって移動する。すなわち、第１外方舌片３７は縁巻２９ａの第２外方舌片４０から離れ、第１内方舌片３８は縁巻２９ａの第２内方舌片４１から離れるように移動する。この移動段階では、縁巻３４ａの縁巻２９ａからの移動を阻止するものがないため、縁巻３４ａはスムーズに移動する。
【００４５】
図６は図５の状態から更に可動パネルが固定パネルに対して分離する方向に移動した状態を示した斜視図である。
【００４６】
図を参照して、縁巻３４ａを図５の状態から更に外方に移動させると、縁巻３４ａに接続された第１内方舌片３８は、縁巻２９ａの第２外方舌片４０に接近する状態となる。
【００４７】
図７は図６のＶＩＩ−ＶＩＩラインの端面図である。
【００４８】
図を参照して、第２外方舌片４０は内側となる縁巻２９ａの巻込み端部から折返されて外方に伸びるように形成されている。一方、第１内方舌片３８は外側となる縁巻３４ａの折返し端部から更に内方に伸びるように形成されている。従って、縁巻３４ａが縁巻２９ａから更に分離する方向に移動しようとすると、第１内方舌片３８の端部は第２外方舌片４０の端部に当接して、それ以上の移動が阻止された状態となる。この当接状態は第１内方舌片３８及び第２外方舌片４０の厚さに関わらず確実に生じることになる。これによって、縁巻２９ａ及び縁巻３４ａは、これらの厚さに関わらず確実に係合解除を阻止するストッパーとしての機能を発揮する。
【００４９】
図８は図２で示した平板部と縁巻との構造よりなる側面パネルの製造方法を示した概略工程図である。
【００５０】
図８の（１）に示されているように、アルミニウム箔よりなるほぼ矩形形状の第１平板４３を準備する。尚、第１平板４３の一辺４５にはその内方側には矩形形状の第１外方舌片３７が、そのコーナー端部側には矩形形状の第１内方舌片３８が、各々外方に突出するように一体的に形成されている。尚、第１外方舌片３７の一辺４５からの突出長さＬ１は、この実施の形態においては３．５ｍｍとなっており、第１内方舌片３８の突出長さＬ２は１．５ｍｍとなっている。
【００５１】
一方、固定パネルを構成するアルミニウム箔よりなるほぼ矩形形状の第２平板４４が準備される。尚、第２平板４４の一辺４６においてその内方側の位置で外方に突出する矩形形状の第２内方舌片４１が、そのコーナー端部には外方に突出する矩形形状の第２外方舌片４０がそれぞれ一体となって形成されている。又、第２内方舌片４１は第１平板４３の第１内方舌片３８に対応した形状を有しており、第２外方舌片４０は第１平板４３の第１外方舌片３７に対応した形状を有している。更に、第１外方舌片３７と第１内方舌片３８との間隔と第２外方舌片４０と第２内方舌片４１との間隔とは、同一となるように形成されている。
【００５２】
次に図８の（２）に示されているように、第１外方舌片３７と第２外方舌片４０とが、第１内方舌片３８と第２内方舌片４１とがそれぞれ一致するように第１平板４３と第２平板４４とを重ね合わせる。この重ね合わされた状態で、図８の（３）に示すように、第２平板４４の第２外方舌片４０を第１外方舌片３７と共に第１平板４３側に折返す。そして二点鎖線で示した部分から外方の部分を、矢印で示す方向、すなわち第１平板４３側から第２平板４４側にこれらを一体的に巻き込むように曲げ加工して縁巻きを形成する。これによって図２で示したような固定パネル２７ａ及び可動パネル３１ａの係合構造を一度のプレス成形によって得ることが可能となる。その結果、縁巻２９ａと縁巻３４ａとの当接状態は良好となり、スムーズな摺動による係合状態を確保することができると共に、第２外方舌片４０及び第１内方舌片３８によって安定したストッパー機能が発揮される。
【００５３】
尚、上記の実施の形態では、外方舌片は各縁巻毎に２枚、内方舌片も各縁巻毎に２枚形成されているが、ストッパー機能を発揮させるためには、内側の縁巻に外方舌片を１枚接続し、外側の縁巻に内方舌片を１枚接続するようにしても同様の効果を奏する。
【００５４】
又、上記の実施の形態では、１枚の平板に形成される外方舌片の突出し長さと内方舌片の突出し長さとを異ならせているが、これは巻き込み動作上の便宜であり、同一突出し長さとしてもストッパー機能としては同一である。
【００５５】
更に、上記の実施の形態では、ストッパーとして機能する外方舌片と内方舌片とは対応する縁巻の端部に設けているが、これらは分割体のスライド範囲を最大にするためである。従って、ストッパー機能を発揮させるためだけであれば、これらの舌片は縁巻端部の内方側であっても良い。
【００５６】
更に、上記の実施の形態では、縁巻は各分割体の両側縁に形成されているが、スライド機能を発揮させるためであれば、各分割体の片側側縁にのみ縁巻を形成してこれらを互いに係合させても良い。
【００５７】
更に、上記の実施の形態の調理用油除けパネルでは、可動パネルは固定パネルの内側に係合しているが、可動パネルを固定パネルの外側に係合させてもよいのは言うまでもない。
【００５８】
更に、上記の実施の形態においては、説明の便宜上外方舌片は縁巻の外部まで伸びているが、縁巻の内部に留め隠れるようにする方が、美観上、安全上好ましい。
【００５９】
更に、上記の実施の形態においては、可動パネルと固定パネルの係合側の端辺は何ら処理を施していないが、従来の技術と同様（図１２の（２）参照）に係合部の内方側へ予め折り返しておいてもよい。
【図面の簡単な説明】
【図１】この発明の第１の実施の形態による金属箔成形体よりなる調理用油除けパネルの外観形状を示した斜視図である。
【図２】図１で示した“Ｘ”部分の拡大斜視図である。
【図３】図２で示したＩＩＩ−ＩＩＩラインの端面図である。
【図４】図２で示したＩＶ−ＩＶラインの端面図である。
【図５】図２に対応した図であって、可動パネルを固定パネルから分離する方向に移動させた中間状態を示した斜視図である。
【図６】図２に対応した図であって、図５に示した状態から、更に可動パネルを固定パネルから分離する方向に移動させた最終状態を示した斜視図である。
【図７】図６で示したＶＩＩ−ＶＩＩラインの端面図である。
【図８】図２で示した側面パネルの製造方法を示した概略工程図である。
【図９】従来の金属箔成形体よりなる調理用油除けパネルの使用状態の一例を示した斜視図である。
【図１０】図９で示した“Ｙ”部分の拡大斜視図である。
【図１１】図１０で示したＸＩ−ＸＩラインの断面図である。
【図１２】図９で示した側面パネルの製造方法を示した概略工程図である。
【図１３】図１１に対応した図であって、図１１の状態から可動パネルを固定パネルから分離しようとした場合の最終状態を示した図である。
【符号の説明】
１５…調理用油除けパネル
１８…正面パネル
１９…右側面パネル
２０…左側面パネル
２７…固定パネル
２８，３２…平板部
２９，３４…縁巻
３１…可動パネル
３８…第１内方舌片
４０…第２外方舌片
４３…第１平板
４４…第２平板
４５，４６…一辺
尚、各図中同一符号は同一又は相当部分を示す。
【図１】
2004116928.tif 000003
【図２】
2004116928.tif 000004
【図３】
2004116928.tif 000005
【図４】
2004116928.tif 000006
【図５】
2004116928.tif 000007
【図６】
2004116928.tif 000008
【図７】
2004116928.tif 000009
【図８】
2004116928.tif 000010
【図９】
2004116928.tif 000011
【図１０】
2004116928.tif 000012
【図１１】
2004116928.tif 000013
【図１２】
2004116928.tif 000014
【図１３】
2004116928.tif 000015